(57)【要約】【課題】複数のカートリッジで構成されるテープ印刷装置用カートリッジにおいて、カートリッジの組み合わせが最適なテープ印刷装置用カートリッジを提供すること。【解決手段】第１及び第２カートリッジの組み合わせとして、例えばテープカートリッジ６０及びリボンカートリッジ７０のような適切な組合せを選択する場合にのみ、第１の外形形状部である凹部６０ａと第２の外形形状部である凸部７０ａとが対応する形成位置関係にあることで組み合わされるものとなり、テープカートリッジ６０とリボンカートリッジ７０とがテープ印刷装置１０にセット可能となる。これにより、カートリッジの組合せが最適な状態で印刷動作を行うことができる。【選択図】図３
2011201221.tif 000002
【特許請求の範囲】
【請求項１】
第１の外形形状部を有する第１カートリッジと、
第２の外形形状部を有する第２カートリッジと、
を備えるテープ印刷装置用カートリッジであって、
前記第１の外形形状部と前記第２の外形形状部とが所定の対応関係で組み合わされるときにのみ、前記第１カートリッジと前記第２カートリッジとを印刷装置にセット可能とすることを特徴とするテープ印刷装置用カートリッジ。
【請求項２】
前記第１の外形形状部と前記第２の外形形状部とは、嵌合構造を有することを特徴とする請求項１に記載のテープ印刷装置用カートリッジ。
【請求項３】
前記第１の外形形状部は、凹形状を有し、前記第２の外形形状部は、凸形状を有することを特徴とする請求項２に記載のテープ印刷装置用カートリッジ。
【請求項４】
前記第１カートリッジと前記第２カートリッジとは、前記第１の外形形状部の形成位置と前記第２の外形形状部の形成位置との対応により、セット可能になることを特徴とする請求項２及び請求項３のいずれか一項に記載のテープ印刷装置用カートリッジ。
【請求項５】
前記第１カートリッジと前記第２カートリッジとは、前記第１の外形形状部の形状と前記第２の外形形状部の形状との対応により、セット可能になることを特徴とする請求項２から請求項４までのいずれか一項に記載のテープ印刷装置用カートリッジ。
【請求項６】
前記第１カートリッジと前記第２カートリッジとは、前記第１の外形形状部として形成される凹形状の深さと前記第２の外形形状部として形成される凸形状の高さとの対応により、セット可能になることを特徴とする請求項２から請求項５までのいずれか一項に記載のテープ印刷装置用カートリッジ。
【請求項７】
前記第１カートリッジ及び前記第２カートリッジのうち一方は、テープ状部材を収納するテープカートリッジであり、他方は、インクリボンを収納するリボンカートリッジであることを特徴とする請求項１から請求項６までのいずれか一項に記載のテープ印刷装置用カートリッジ。
【請求項８】
前記第１カートリッジと前記第２カートリッジとは、印刷装置におけるカートリッジの挿入口に対して奥行き方向に沿って積層して配置されることを特徴とする請求項１から請求項７までのいずれか一項に記載のテープ印刷装置用カートリッジ。
【発明の詳細な説明】
【技術分野】
【０００１】
本発明は、複数のカートリッジによって構成されるテープ印刷装置用カートリッジに関する。
【背景技術】
【０００２】
従来のテープ印刷装置において、複数のカートリッジを組み合わせて装填するものの一例として、印刷対象であるテープ状部材を収納するテープカートリッジと、インクリボンを収納するリボンカートリッジとを着脱可能に装填するものが知られている（例えば特許文献１等参照）。
【先行技術文献】
【特許文献】
【０００３】
【特許文献１】実開平１０−１８３号公報
【発明の概要】
【発明が解決しようとする課題】
【０００４】
複数のカートリッジを用いる際、それらの組合せが正しい場合と正しくない場合とが生じることがある。例えば、テープカートリッジのテープ状部材としては、紙や樹脂等様々な材質のものがあり、複数種類存在する。そして、複数種類存在するテープカートリッジに対応したインクリボンを使用する必要があるため、リボンカートリッジも複数種類存在する。従って、テープカートリッジとリボンカートリッジとの組合せに適不適が生じ、カートリッジの組合せが不適切な状態でテープ印刷装置に装填されると、印刷ができなかったり、印刷できても印刷状態が劣悪なものとなったりする可能性がある。
【０００５】
そこで、本発明は、複数のカートリッジを組み合わせて構成されるテープ印刷装置用カートリッジにおいて、カートリッジの組合せが最適なテープ印刷装置用カートリッジを提供することを目的とする。
【課題を解決するための手段】
【０００６】
上記課題を解決するため、本発明に係るテープ印刷装置用カートリッジは、第１の外形形状部を有する第１カートリッジと、第２の外形形状部を有する第２カートリッジと、を備えるテープ印刷装置用カートリッジであって、第１の外形形状部と第２の外形形状部とが所定の対応関係で組み合わされるときにのみ、第１カートリッジと第２カートリッジとを印刷装置にセット可能とすることを特徴とする。
【０００７】
上記テープ印刷装置用カートリッジによれば、第１の外形形状部と第２の外形形状部とが所定の対応関係で組み合わされるときは、第１カートリッジと第２カートリッジとを印刷装置にセット可能とし、第１の外形形状部と第２の外形形状部とが対応していないときは、第１カートリッジと第２カートリッジとを印刷装置にセットできないので、常にカートリッジの組合せが最適な状態で印刷動作を行うことができる。
【０００８】
本発明の具体的な側面では、第１の外形形状部と第２の外形形状部とが、嵌合構造を有することを特徴とする。この場合、第１カートリッジと第２カートリッジとを所定の位置関係で取り付けて印刷装置にセット可能にできる。この場合の嵌合構造は、隙間なく嵌った状態のものに限らず、ある程度のあそびを持った状態で嵌っている状態のものも含まれる。
【０００９】
本発明のさらに別の側面では、第１の外形形状部が、凹形状を有し、第２の外形形状部が、凸形状を有することを特徴とする。この場合、凹形状と凸形状との嵌合せにより合体形状を適切なものにでき、第１カートリッジと第２カートリッジとを印刷装置にセット可能な状態にすることができる。
【００１０】
本発明のさらに別の側面では、第１カートリッジと第２カートリッジとが、第１の外形形状部の形成位置と第２の外形形状部の形成位置との対応により、セット可能になることを特徴とする。この場合、第１及び第２の外形形状部の形成位置によって、カートリッジの組合せが適切であるか否かを定めることができ、適切な組合せに多様性をもたせることができる。
【００１１】
本発明のさらに別の側面では、第１カートリッジと第２カートリッジとが、第１の外形形状部の形状と第２の外形形状部の形状との対応により、セット可能になることを特徴とする。この場合、第１及び第２の外形形状部の形状によって、カートリッジの組合せが適切であるか否かを定めることができ、適切な組合せに多様性をもたせることができる。
【００１２】
本発明のさらに別の側面では、第１カートリッジと第２カートリッジとが、第１の外形形状部として形成される凹形状の深さと第２の外形形状部として形成される凸形状の高さとの対応により、セット可能になることを特徴とする。この場合、第１及び第２の外形形状部の凹凸形状の高低差によって、カートリッジの組合せが適切であるか否かを定めることができ、適切な組合せに多様性をもたせることができる。
【００１３】
本発明のさらに別の側面では、第１カートリッジ及び第２カートリッジのうち一方が、テープ状部材を収納するテープカートリッジであり、他方が、インクリボンを収納するリボンカートリッジであることを特徴とする。この場合、例えば異なる材質やサイズで構成される複数種類のテープを収納するテープカートリッジに対して、その材質やサイズに対応しているインクリボンを収納するリボンカートリッジを選択したときにのみ第１カートリッジと第２カートリッジとを印刷装置にセット可能な状態にすることができる。
【００１４】
本発明のさらに別の側面では、第１カートリッジと第２カートリッジとは、印刷装置におけるカートリッジの挿入口に対して奥行き方向に沿って積層して配置されることを特徴とする。この場合、第１カートリッジと第２カートリッジとの選択を常に最適状態とすることができる。
【図面の簡単な説明】
【００１５】
【図１】テープ印刷装置の外観斜視図である。
【図２】（Ａ）は、テープ印刷装置の開蓋状態を示す外観斜視図であり、（Ｂ）は、テープ印刷装置に装填される第１実施形態に係るカートリッジを示す外観斜視図である。
【図３】（Ａ）〜（Ｄ）は、種類の異なる第１カートリッジと第２カートリッジとの組合せについて説明するための模式図である。
【図４】不適切な組合せのカートリッジを示す模式図である。
【図５】（Ａ）、（Ｂ）は、第２実施形態に係るカートリッジを示す模式図であり、（Ｃ）、（Ｄ）は、変形例のカートリッジを示す模式図である。
【図６】（Ａ）、（Ｂ）は、第３実施形態に係るカートリッジを示す模式図である。
【図７】（Ａ）、（Ｂ）は、適切な組合せのカートリッジを示す模式図であり、（Ｃ）、（Ｄ）は、不適切な組合せのカートリッジを示す模式図である。
【発明を実施するための形態】
【００１６】
〔第１実施形態〕
以下、図面を参照して、第１実施形態に係るテープ印刷装置用カートリッジが装填されるテープ印刷装置について説明する。
【００１７】
図１及び図２（Ａ）に示すように、このテープ印刷装置１０は、上下２分割の装置ケース２０により外殻が形成され、開閉蓋となる上側ケース２１と、ポケット４１等の機構部が配設された下側ケース２２とにより構成されている。
【００１８】
上側ケース２１の上面には、その手前側にキーボード３３が、右奥側にディスプレイ３４がそれぞれ配設されており、複合カートリッジＣの脱着時以外は、閉蓋状態で使用される。
【００１９】
キーボード３３は、下側ケース２２内に内蔵された制御系であるマイコンチップ等に対するデータ、指令等の情報を入力するためのものとなっている。
【００２０】
ディスプレイ３４は、任意の文字列等を表示可能な表示画面を有し、下側ケース２２内に内蔵された制御系であるマイコンチップ等による処理結果や指令等を表示できるようになっている。
【００２１】
また、図２（Ｂ）に示す本実施形態に係るテープ印刷装置用カートリッジである複合カートリッジＣは、第１カートリッジであるテープカートリッジ６０と第２カートリッジであるリボンカートリッジ７０とを組み合わせて構成され、図２（Ａ）のポケット４１に装填される。
【００２２】
複合カートリッジＣは、上側ケース（開閉蓋）２１を開放した状態でポケット４１に対して着脱可能に装填される。複合カートリッジＣは、内部に一定の幅のテープＴを収容するテープカートリッジ６０と、内部に一定の幅のインクリボンＲ（図３（Ａ）等参照）を収容するリボンカートリッジ７０とを嵌合させることにより、テープ印刷装置１０のテープ印刷装置用カートリッジとして機能する。なお、この場合、複合カートリッジＣを構成するテープカートリッジ６０とリボンカートリッジ７０とは、ポケット４１において、平面的に並んだ状態でセットされるものとする。
【００２３】
図３（Ａ）に示すように、テープカートリッジ６０のテープＴは、印刷対象であって長い帯状で例えば紙製のテープ状部材であり、終端部分がコア部ＣＲに対して貼り付けられ、コア部ＣＲのまわりに巻き付けられている。また、テープＴの裏面には接着面が形成されており、それが剥離紙によって覆われた構成になっている。テープＴは、先端部分ＴＰ側から矢印Ｄ１の方向に引き出される。リボンカートリッジ７０のインクリボンＲは、テープＴの材質に対応したインクで構成されている。インクリボンＲは、先端部分が巻取コア部ＣＣ１に貼り付けられて巻取コア部ＣＣ１のまわりに巻き付けられており、根元部分が引出コア部ＣＣ２に貼り付けられ、引出コア部ＣＣ２のまわりに巻き付けられている。インクリボンＲは、巻取コア部ＣＣ１の回転動作により矢印Ｄ２の方向に移動し、リボンカートリッジ７０内部で移動する。なお、図３（Ａ）等はテープカートリッジ６０やリボンカートリッジ７０等の外観を平面的に示した模式図であるため、テープＴ及びインクリボンＲについての印刷時の様子等については詳しい図示を省略しているが、テープＴとインクリボンＲは、印刷時に矢印Ｄ１，Ｄ２に示す方向が揃い、相互に重なり合った状態で走行して印刷が行われるとともに、図２（Ｂ）に示すように、印刷済みのテープＴのみが外部に排出される。
【００２４】
このように構成されたテープ印刷装置１０の一般的な使用方法は、ユーザーが、ポケット４１に複合カートリッジＣを装填した後、ディスプレイ３４により入力・編集結果を確認しながらキーボード３３を用いて所望の文字や記号等の印刷情報を入力し、印刷を指示する。この指示により、複合カートリッジＣからテープＴが繰り出され、印刷ヘッド（不図示）によりテープＴに所望の印刷が行われた後、印刷済み部分はテープ排出口４４から随時外部に送り出される。そして、印刷が完了すると、余白分を含むテープ長さの位置までテープ送りが行われ、所定の位置でテープＴがカットされることによりラベルが作成される。
【００２５】
以下、図３（Ａ）〜３（Ｄ）及び図４を参照して、複合カートリッジＣを構成するテープカートリッジ６０及びリボンカートリッジ７０の組合せについて説明する。
【００２６】
既述のように、図３（Ａ）は、第１カートリッジであるテープカートリッジ６０と、これに適合する第２カートリッジであるリボンカートリッジ７０との組合せについて平面的に示す模式図である。これに対して、図３（Ｂ）は、別構造の第１カートリッジであるテープカートリッジ１６０と、これに適合する第２カートリッジであるリボンカートリッジ１７０との組合せについて平面的に示す模式図である。また、図３（Ｃ）は、図３（Ａ）に示すテープカートリッジ６０とリボンカートリッジ７０とを組み合わせた複合カートリッジＣを示しており、図３（Ｄ）は、図３（Ｂ）に示すテープカートリッジ１６０とリボンカートリッジ１７０とを組み合わせた複合カートリッジＣ１を示している。テープカートリッジ６０とリボンカートリッジ７０とは、図２（Ａ）に示すポケット４１に対して平面的に並んだ状態でセットされる。このため、例えば、図３（Ｃ）に示すように、平面的に見た場合にテープカートリッジ６０とリボンカートリッジ７０とがずれることなく連結されることで、テープ印刷装置１０にセット可能な複合カートリッジＣとして構成される。これは、図３（Ｄ）に示すテープカートリッジ１６０とリボンカートリッジ１７０とについても同様である。
【００２７】
以下、テープカートリッジ６０やリボンカートリッジ７０の具体的な構造について説明する。図３（Ａ）に示すように、テープカートリッジ６０は、ケース部６１を備える。ケース部６１は、内部にテープＴを収納するとともに、外部の面のうちリボンカートリッジ７０と組み合わせるために当接する平坦な取付面６１ａの一部に、第１の外形形状部として、凹形状の凹部６０ａを形成している。また、リボンカートリッジ７０は、ケース部７１を備える。ケース部７１は、内部にインクリボンＲを収納するとともに、外部の面のうち取付面６１ａと当接する平坦な取付面７１ａの一部に、第２の外形形状部として、凸形状の凸部７０ａを形成している。ここで、取付面６１ａと取付面７１ａとは縦横同一幅の矩形形状を有している。さらに、凹部６０ａの取付面６１ａでの形成位置と、凸部７０ａの取付面７１ａでの形成位置とは、対応した位置関係になっており、図３（Ｃ）に示すように、凹部６０ａと凸部７０ａとは、取付面６１ａと取付面７１ａとがずれることなく当接した状態となるように嵌合する。この結果、図２（Ｂ）や図３（Ｃ）に示すように、テープカートリッジ６０とリボンカートリッジ７０とが、正確な位置関係で組み合わされ一体となることで、テープ印刷装置１０のポケット４１に装填可能な適切な合体形状を有するものとなっている。
【００２８】
また、同様に、図３（Ｂ）において、別構造のテープカートリッジ１６０は、ケース部１６１の取付面１６１ａに凸部１６０ａを形成し、別構造のリボンカートリッジ１７０は、ケース部１７１の取付面１７１ａに凹部１７０ａを形成している。凸部１６０ａと凹部１７０ａとが対応する一対の嵌合構造となっていることにより、図３（Ｄ）に示すように、テープカートリッジ１６０とリボンカートリッジ１７０とが組み合わされ一体となることで、別の複合カートリッジＣ１が合体形成される。複合カートリッジＣ１は、図３（Ｃ）に示す複合カートリッジＣと合同な形状を有しており、複合カートリッジＣと同様にテープ印刷装置１０に装填可能な適切な合体形状を有するものとなっている。
【００２９】
図４（Ａ）に示すように、ユーザーが間違ったカートリッジの組合せを選択すると、複合カートリッジＣ，Ｃ１を正しい形状で構成できなくなり、テープ印刷装置１０のポケット４１に装填できなくなる。例えば、テープカートリッジ６０をリボンカートリッジ１７０に組み合わせようとしても、凹部６０ａと凸部１７０ａとの形成位置が合わないため、嵌め合わせることができない。または、図４（Ｂ）に示すように、凹部６０ａと凸部１７０ａとを嵌合させても、テープカートリッジ６０とリボンカートリッジ１７０との位置がずれてしまう。いずれにしても、テープカートリッジとリボンカートリッジとの組合せが限られこれ以外の組合せを選択した場合には、不適切な組合せとして、適切な合体形状とすることができず、テープ印刷装置１０にセットすることができないものとなっている。
【００３０】
本実施形態の場合、上記のように、例えば、テープ状部材として紙製のテープＴを収容するテープカートリッジ６０を選び、樹脂用のテープ状部材に対応するインクで構成されるインクリボンＲ１を収容するリボンカートリッジ１７０を選んでしまっても、複合カートリッジＣとしてテープ印刷装置１０にセットすることができないものとなる。なお、このことは、テープカートリッジ１６０とリボンカートリッジ７０とを選択した場合についても同様である。
【００３１】
以上のように、本実施形態に係る複合カートリッジＣ，Ｃ１では、第１及び第２カートリッジの組合せとして、例えばテープカートリッジ６０及びリボンカートリッジ７０のような適切な組合せを選択する場合にのみ、第１の外形形状部である凹部６０ａと第２の外形形状部である凸部７０ａとが対応する形成位置関係にあることで組み合わされるものとなり、テープカートリッジ６０とリボンカートリッジ７０とがテープ印刷装置１０にセット可能となる。そして、テープカートリッジとリボンカートリッジの組合せが間違っているときには、これらをテープ印刷装置１０にセットできない。これにより、カートリッジの組合せが最適な状態で印刷動作を行うことができる。
【００３２】
〔第２実施形態〕
以下、図５（Ａ）等を参照して、第２実施形態に係るテープ印刷装置用カートリッジについて説明する。なお、本実施形態に係るテープ印刷装置用カートリッジは、図３（Ａ）等に示す第１実施形態のテープ印刷装置用カートリッジの変形例であり、テープ印刷装置等については、特に説明のない限り第１実施形態と同様である。
【００３３】
図５（Ａ）は、本実施形態に係るテープ印刷装置用カートリッジである複合カートリッジＣ２を構成するテープカートリッジ２６０及びリボンカートリッジ２７０を示している。また、図５（Ｂ）は、別の複合カートリッジＣ３を構成する別構造のテープカートリッジ３６０及びリボンカートリッジ３７０を示している。
【００３４】
図５（Ａ）及び５（Ｂ）に示すように、複合カートリッジＣ２，Ｃ３をそれぞれ構成するテープカートリッジ２６０，３６０は、ケース部２６１，３６１をそれぞれ備える。ケース部２６１は、内部に紙製のテープＴを収納するとともに、平坦な取付面２６１ａの一部に凹部２６０ａを形成している。ケース部３６１は、内部に樹脂製のテープＴ１を収納するとともに、平坦な取付面３６１ａの一部に凹部３６０ａを形成している。また、リボンカートリッジ２７０，３７０は、ケース部２７１，３７１をそれぞれ備え、内部にテープＴ，Ｔ１に対応するインクリボンＲ，Ｒ１をそれぞれ収納するとともに、平坦な取付面２７１ａ，３７１ａの一部に凸部２７０ａ，３７０ａをそれぞれ形成している。図５（Ａ）において、凹部２６０ａの形状と凸部２７０ａの形状とはともにＭ字状であり、互いに対応したものとなっている。これにより、テープカートリッジ２６０とリボンカートリッジ２７０とを組み合わせることで、複合カートリッジＣ３を構成することが可能となっている。また、図５（Ｂ）において、凹部３６０ａの形状と凸部３７０ａの形状とはともにΛ字状であり、互いに対応したものとなっている。これにより、テープカートリッジ３６０とリボンカートリッジ３７０とにより複合カートリッジＣ４を構成できる。
【００３５】
以上のように、本実施形態に係る複合カートリッジＣ２，Ｃ３において、第１の外形形状部である凹部２６０ａと第２の外形形状部である凸部２７０ａとが対応する形状を有する関係にあることで、テープカートリッジ２６０とリボンカートリッジ２７０とがテープ印刷装置１０にセット可能となる。これにより、カートリッジの組合せが最適な状態で印刷動作を行うことができる。
【００３６】
また、上記では、図５（Ａ）及び図５（Ｂ）に示すように、凸部や凹部を側方から見た形状に違いがある場合について説明しているが、この他にも、例えば図５（Ｃ）や図５（Ｄ）に示すように、テープカートリッジ２６０を取付面２６１ａの正面から見た場合の凹部２６０ａの形状と、テープカートリッジ３６０を取付面３６１ａの正面から見た場合の凹部２６０ａの形状とが異なるものとなっていることで、テープ印刷装置１０にセット可能な組合せを限定させてもよい。
【００３７】
〔第３実施形態〕
以下、図６（Ａ）等を参照して、第３実施形態に係るテープ印刷装置用カートリッジについて説明する。なお、本実施形態に係るテープ印刷装置用カートリッジは、図３（Ａ）等に示す第１実施形態のテープ印刷装置用カートリッジの変形例であり、テープ印刷装置等については、特に説明のない限り第１実施形態と同様である。
【００３８】
図６（Ａ）は、本実施形態に係るテープ印刷装置用カートリッジである複合カートリッジＣ４を構成するテープカートリッジ４６０及びリボンカートリッジ４７０を示している。また、図６（Ｂ）は、別の複合カートリッジＣ５を構成する別構造のテープカートリッジ５６０及びリボンカートリッジ５７０を示している。
【００３９】
図６（Ａ）及び６（Ｂ）に示すように、複合カートリッジＣ４，Ｃ５をそれぞれ構成するテープカートリッジ４６０，５６０は、内部に紙製のテープＴを収納するケース部４６１と、内部に樹脂製のテープＴ１を収納するケース部５６１とをそれぞれ備えている。
【００４０】
図６（Ａ）に示すテープカートリッジ４６０のケース部４６１において、平坦な取付面４６１ａの一部には、深さの異なる２つの凹部４６０ａ及び凹部４６０ｂが形成されている。凹部４６０ａは、凹部４６０ｂよりも深くなっている。一方、図６（Ｂ）に示すテープカートリッジ５６０のケース部５６１において、平坦な取付面５６１ａの一部には、深さの異なる２つの凹部５６０ａ及び凹部５６０ｂが形成されている。凹部５６０ａは、凹部５６０ｂよりも浅くなっている。
【００４１】
複合カートリッジＣ４，Ｃ５をそれぞれ構成するリボンカートリッジ４７０，５７０は、内部にテープＴ，Ｔ１に対応するインクリボンＲ，Ｒ１を収納するケース部４７１，５７１をそれぞれ備えている。
【００４２】
図６（Ａ）に示すリボンカートリッジ４７０のケース部４７１において、平坦な取付面４７１ａの一部には、凹部４６０ａ及び凹部４６０ｂにそれぞれ対応した高さを有する凸部４７０ａ，４７０ｂが形成されている。図６（Ｂ）に示すリボンカートリッジ５７０のケース部５７１において、平坦な取付面５７１ａの一部には、凹部５６０ａ及び凹部５６０ｂにそれぞれ対応した高さを有する凸部５７０ａ，５７０ｂが形成されている。
【００４３】
図６（Ａ）において、凹部４６０ａ及び凹部４６０ｂは、凸部４７０ａ及び凸部４７０ｂとそれぞれ形成位置や深さ・高さについて対応していることにより、図７（Ａ）に示すように、テープカートリッジ４６０とリボンカートリッジ４７０とを組み合わせることができる。つまり、複合カートリッジＣ４を合体形成することが可能となっている。同様に、図５（Ｂ）において、凹部４６０ａ及び凹部４６０ｂは、凸部４７０ａ及び凸部４７０ｂとそれぞれ形成位置や深さ・高さについて対応していることにより、図７（Ｂ）に示すように、テープカートリッジ５６０とリボンカートリッジ５７０とを連結させることができる。つまり、複合カートリッジＣ５を合体形成することが可能となっている。
【００４４】
これに対して、例えば図７（Ｃ）に示すように、テープカートリッジ４６０とリボンカートリッジ５７０とを組み合わせようとしても凹部４６０ａ，４６０ｂと凸部５７０ａ，５７０ｂとは嵌合しない。同様に、図７（Ｄ）に示すように、テープカートリッジ５６０とリボンカートリッジ４７０とを組み合わせようとしても凹部５６０ａ，５６０ｂと凸部４７０ａ，４７０ｂとは嵌合しない。
【００４５】
なお、図７（Ａ）及び７（Ｂ）に示すように、適切なテープカートリッジ及びリボンカートリッジの組合せによる場合、構成された複合カートリッジＣ４の方向ＲＡについての全長が長さＨ０になる。これに対して、図７（Ｃ）及び７（Ｄ）に示すように、適切でないテープカートリッジ及びリボンカートリッジの組合せによる場合、方向ＲＡについての全長が長さＨ０よりも長い長さＨ１になる。従って、この長さの違いを用いて図１のテープ印刷装置１０へのセットの可否を定めるようにしてもよい。
【００４６】
図１等に示すテープ印刷装置１０においては、複合カートリッジＣを構成するテープカートリッジ６０とリボンカートリッジ７０とは平面的に並んだ状態でセットされるものとしている。これに対して、例えば、複合カートリッジＣ４は、図１等に示すテープ印刷装置１０に装填するにあたって、テープカートリッジ４６０とリボンカートリッジ４７０とを、ポケット４１に対して奥行き方向即ち上下方向に沿って積層して配置される態様としてもよい。つまり、ポケット４１に対して奥行き方向となる方向が、図７（Ａ）に示す方向ＲＡとなるようにしてもよい。このような態様とした場合、図７（Ｃ）や図７（Ｄ）に示すように不適切な組合せを選択すると、合体形状の長さＨ１が適切な合体形状の長さＨ０よりも高くなる。これにより、テープ印刷装置１０に装填しようとしても、図２（Ａ）に示す開閉蓋である上側ケース２１が閉まらなくなりセット不能となる。
【００４７】
以上のように、本実施形態に係る複合カートリッジＣ４，Ｃ５において、第１の外形形状部である凹部４６０ａ，４６０ｂと第２の外形形状部である凸部４７０ａ，４７０ｂとが対応する深さ・高さ即ち高低差を有する関係にあることで、テープカートリッジ４６０とリボンカートリッジ４７０とがテープ印刷装置１０にセット可能となる。これにより、カートリッジの組合せが最適な状態で印刷動作を行うことができる。
【００４８】
〔その他、変形例等〕
以上実施形態に即して本発明を説明したが、本発明は、上記の実施形態に限られるものではなく、その要旨を逸脱しない範囲において種々の態様において実施することが可能であり、例えば次のような変形も可能である。
【００４９】
まず、上記各実施形態では、テープカートリッジとリボンカートリッジとを、平坦な取付部の一部に設けた凹部及び凸部による嵌合構造で、嵌合せをして組み合わせているが、取付面が凹凸を有さずスライド構造により嵌合するものとしてもよい。また、嵌合構造によらず、例えば平坦な取付面を当接させることで組み合わせるだけの構造としてもよい。このような場合、例えば当接させる取付面を斜め方向にし、その傾斜角度をテープ等の種類毎に異なるものとすることで、取付面の傾斜角度が対応する場合にのみテープカートリッジとリボンカートリッジとをテープ印刷装置１０にセット可能とすることができる。また、凹部と凸とによる嵌合せは、ぴったり隙間なく嵌め合わされるものに限らず、テープ印刷装置１０にセット可能な状態を保つ範囲で、ある程度遊嵌したものであってもよい。
【００５０】
また、本実施形態では、テープ状部材として紙製のものと樹脂製のものとの２種類が存在している場合についてのみ説明しているが、これに限らず種々多様の材料をテープ状部材として用いることができる。また、対応させるインクについても、これに応じて種々のものとすることができる。
【００５１】
また、本実施形態では、テープ状部材の材料とインクリボンのインク剤との組み合わせについて説明したが、テープ状部材の色とインクリボンのインク色との組合せによって、印字品質が著しく低下することを回避するようにしても良い。例えば、黒色テープに黒色のインクリボンでは、印刷された文字が視認できない等の問題が生じる。
【００５２】
また、上記実施形態では、テープカートリッジとリボンカートリッジとを対応させているが、対応させるものは、これ以外のものであってもよく、また、３種以上のカートリッジを組み合わせて１つの複合カートリッジを構成するものとしてもよい。また、インク側には、インクリボンを有するリボンカートリッジを用いているが、例えばリボンカートリッジに代えてインクジェットカートリッジを用いるものとしてもよい。
【符号の説明】
【００５３】
１０…テープ印刷装置、  ３３…キーボード、  ３４…ディスプレイ、  ４１…ポケット、  Ｃ、Ｃ１…複合カートリッジ、  ６０…テープカートリッジ、  ７０…リボンカートリッジ、  Ｒ…インクリボン、  Ｔ…テープ、  ６０ａ…凹部、  ７０ａ…凸部
【図１】
2011201221.tif 000003
【図２】
2011201221.tif 000004
【図３】
2011201221.tif 000005
【図４】
2011201221.tif 000006
【図５】
2011201221.tif 000007
【図６】
2011201221.tif 000008
【図７】
2011201221.tif 000009